(57)【特許請求の範囲】
【請求項１】
シリンダー部材とピストン部材、ピストン部材を操作するノズルヘッドとを有するポンプ装置を、取付部材を介して容器本体に取着したポンプ式注出容器であって、
前記シリンダー部材は、上端にピストン部材の案内筒を取着したシリンダーを具備しており、
前記ピストン部材は、下端部にピストンガイドを連設した有底のステムと、ピストン弁とを具備しており、
ピストンガイドが、ピストン弁係合部と、その外側に複数の通孔が穿孔された液流路部とその外側に形成されたリング部とからなり、リング部の外周がシリンダー内周に摺接していることを特徴とするポンプ式注出容器。
【発明の詳細な説明】
【０００１】
【発明の属する技術分野】
本発明は、注出容器、とくに容器本体の口筒部にポンプ装置を取着したポンプ式注出容器に関する。
【０００２】
【従来の技術】
内容物を収納した容器本体の口筒部に、ステムを有するピストン部材とシリンダー部材、ステムに連結されたノズルヘッドとからなるポンプ装置を装着し、ノズルヘッドを押圧操作することによって内容物を注出するようにしたポンプ式注出容器は、たとえば、実用新案登録第２５０４３１０号公報にみられるよう従来より周知である。
【０００３】
従来の注出容器では、ピストン部材のステムは、シリンダー部材の上方に取着された案内筒に上下動自在に嵌挿されており、使用にあたって、ノズルヘッドを押圧することによってピストン部材を押し下げ、シリンダー室内の内容物を連通孔よりステム内に流入させ、ステム内孔を通じてノズルから吐出するようにしている。
【０００４】
【発明が解決しようとする課題】
しかしながら、従来の注出容器では、上記公報にも示されるように、ノズルヘッドの上面を傾斜した湾曲面としていることもあり、ノズルヘッド上面が傾斜していると、ノズルヘッドの押圧時に押圧力が斜め方向に働き、垂直方向と水平方向の分力に分解され、水平方向の分力によりステムにモーメントが掛けられ、ステムの周面が案内筒の上下端縁に押しつけられるよう作用してピストン部材の押圧操作が重くなるということがあり、また、ピストン部材の軸心がシリンダーの軸心に一致して上下動しないのでピストン弁が片寄り、シリンダ周壁に一様に摺接しなくなるということもあって、ピストンの作動が安定しないというおそれがあった。
【０００５】
本発明は、上記の問題点を考慮し、ピストン部材の上下動を安定化させることを技術的課題とし、ピストン部材のステム下端部に、シリンダー内周に摺接するピストンガイドを配設したポンプ式注出容器を提供することを目的とする。
【０００６】
【課題を解決するための手段】
本発明は、上記の技術的課題を達成するため、ポンプ式注出容器として、シリンダー部材とピストン部材、ピストン部材を操作するノズルヘッドとを有するポンプ装置を、取付部材を介して容器本体に取着したポンプ式注出容器であって、前記シリンダー部材は、上端にピストン部材の案内筒を取着したシリンダーを具備しており、前記ピストン部材は、下端部にピストンガイドを連設した有底のステムと、ピストン弁とを具備しており、ピストンガイドが、ピストン弁係合部と、その外側に複数の通孔が穿孔された液流路部とその外側に形成されたリング部とからなり、リング部の外周がシリンダー内周に摺接していることを特徴とする構成を採用する。
【０００７】
ピストンガイドの実施例として、ピストンガイドが、ピストン弁係合部と、該ピストン弁係合部の周縁から円周上に所定の間隔をおいて突設されシリンダー内周に摺接する複数のガイド羽根とからなっており、各ガイド羽根の間が液通路となっている構成を採用する
【０００８】
【発明の実施の形態】
次に、本発明の実施形態について、図面を参照して説明する。
図１において、Ａは内容物を収納した容器本体、Ｂは取付部材、Ｃは取付部材Ｂを介して容器本体Ａに取着されたポンプ装置であり、いずれも合成樹脂を素材として成形されている。
【０００９】
容器本体Ａは、口筒部１と肩部２、底部が開放された円筒状の胴壁３と、胴壁３底端に嵌合された底板４とを具えている。
図２に示すように、口筒部１の外周にはネジ５が刻設されており、肩部２の上面には、所定の個所にストッパー６と係止片７が立設されている。
【００１０】
図１に示すように、胴壁３の底端内周には、底板４を嵌着する膨出環を有する係合部８が形成されている。
底板４の中央部には、支持筒９が立設され、周縁近くの適宜の個所に開口１０が穿設されており、底板４周縁には前記係合部８に嵌合される膨出環を有する係合筒１１が立設されている。
胴壁３の内周には、周辺に弾性周壁１２を具え、上下摺動可能とした摺動板１３が嵌挿されている。
【００１１】
取付部材Ｂは、図３に示すように、上壁１５と螺着筒１６とを有しており、上壁１５の内周縁には、上下に延びる内側案内筒１７が連設されている。
螺着筒１６の内周には、前記口筒部１のネジ５に螺合するネジ１８が刻設されており、外周には所定間隔をおいてガイド１９が突設されている。
螺着筒１６の下端はフランジ２０となっており、フランジ２０の周縁には、外側案内筒２１が立設されている。
【００１２】
外側案内筒２１の上端には、外方に突出する係止環２２が設けられており、外側案内筒２１の中間部にはフランジ２３が突設され、該フランジ２３の外周縁には外筒２４が垂設されている。
前記フランジ２０の下面には、所定個所に前記肩部２に設けたストッパー６に係合する突起２５が突設されており、フランジ２０の所定個所には切り込み２６が入れられ、フランジ２０から下方に突出し、係止片７に係合する係止爪２７が形成されている。
【００１３】
図１，４に示すように、ポンプ装置Ｃは、シリンダー部材Ｃ１とピストン部材Ｃ２と、該ピストン部材Ｃ２に連設されピストン部材Ｃ２を押圧操作するノズルヘッドＣ３とを具えている。
シリンダー部材Ｃ１は、シリンダー３０と該シリンダー３０の底壁３１に配設した吸込み弁３２を具えている。
シリンダー３０の上端にはフランジ３３が設けられ、該フランジ３３の下面には、口筒部１内周に係合する密封リング３４が垂設されている。
【００１４】
底壁３１には、吸込み孔３５が設けられ、吸込み孔３５の上端周縁には段部が形成され、弁座３６が設けられている。
吸込み弁３２は、前記弁座３６に載置され、弁保持リング３７に複数の連結部３８を介して接続されている。
吸込み弁３２、弁保持リング３７と連結部３８は、エラストマー、柔軟な合成樹脂などを素材として一体成形されている。
【００１５】
連結部３８は、吸込み弁３２の周縁と弁保持リング３７の内周縁に所定間隔毎に接続部を残して切り込みが入れられ、吸込み弁３２と弁保持リング３７との間に延在するように形成されている。
したがって、吸込み弁３２は、上下方向に移動可能として弁保持リング３７に接続されている。
弁保持リング３７は、シリンダー３０の下端周縁の底壁３１上に載置され、シリンダー３０内周に設けられた膨出環３９によって、底壁３１上に締着されている。
【００１６】
図４，５に示すように、ピストン部材Ｃ２は、下端部にピストンガイドｐ１を設けた有底のステム４０と、該ステム４０とシリンダー３０との間に上下摺動自在に装着されたピストン弁４１とを具えている。
ステム４０の上端部は縮径され、該縮径部に複数の膨出環４２が突設されていおり、下端部に近い所定個所には連通孔４３が穿孔されている。
【００１７】
ステム４０の連通孔４３の下方には、ステム周面より下方に広がり傾斜する段部４４と、該段部４４に続く拡径された周壁４５とが形成されており、その上方部は係合面４５ａとなっている。
周壁４５の中間部には、係合面４５ａの下端部につづく外周面を傾斜面とした肉厚のフランジ４６が設けられ、該フランジ４６の周縁には、内側面が傾斜した案内リング４７が立設されている。
【００１８】
周壁４５の外周には、円周上に所定の間隔をおいて、フランジ４６と周壁４５下方部に連なる複数のガイド羽根４８が配設されている。
ガイド羽根４８の外周は、シリンダー３０内周に摺接しており、隣接するガイド羽根４８の間は液流路Ｘとなっている。
ガイド羽根４８の下面は、ピストン部材Ｃ２の下降時には、前記シリンダー部材Ｃ１の弁保持リング３７に衝接して、ピストン部材Ｃ２の可動範囲を規制するようになっている。
【００１９】
前記周壁４５とフランジ４６及びガイド羽根４８によってピストンガイドｐ１が構成されており、周壁４５の係合面４５ａ、フランジ４６上面、案内リング４７の内側面によって、ピストン弁４１に係合離脱するピストン弁係合部ｐ２が構成されている。
【００２０】
ピストン弁４１は、弁周壁５０と摺動周壁５１、両者を結ぶ連結部５２とからなっており、柔軟な合成樹脂を用いて成形されている。
弁周壁５０の下端部５３の内周には、膨出部５４が設けられている。
摺動周壁５１は湾曲面となっており、上下の端部５５は、シリンダー３０内周に圧接されるようになっている。
前記弁周壁５０の下端部５３は、ピストン弁係合部ｐ２に係合保持され、ステム４０の上下動に応じてシリンダー３０内部と連通孔４３への通路を開閉する。
その際下端部５３の外周は、案内リング４７の内側面によって内方に圧接され、下端部５３内周の膨出部５４は、前記周壁４５の係合面４５ａに一定の締め代をもって係合するようになっている。
【００２１】
図４に示すように、ノズルヘッドＣ３は、帽冠状の頂壁６０と側筒壁６１、頂壁６０から斜め上方に突出するノズル６２とを具えている。
頂壁６０の下面には、中央部にステム保持筒６３が垂設され、その外側に案内筒６４が垂設されている。
【００２２】
ステム保持筒６３は、取付部材Ｂの内側案内筒１７内に嵌挿され、その内周の所定位置には、前記ステム４０上端に接合する位置決めリブが設けられており、その下方にステム４０上端部外周に設けた膨出環４２に係合する膨出環６５が設けられ、ステム４０を嵌着するようになっている。
ステム保持筒６３の下部は拡径されて係合筒６６となっており、その内周は、ピストン弁４１の弁周壁５０外周に接合し、その下端は、ピストン弁４１の連結部５２に係合可能になっている。
【００２３】
前記案内筒６４は、その内周が取付部材Ｂの螺着筒１６の外周を囲むように配設されており、前記ガイド１９に対応するよう内周に一定間隔をおいて、案内溝６７が刻設されている。
【００２４】
頂壁６０下面のステム保持筒６３の周囲には、内側バネ受け面６８が形成されており、該内側バネ受け面６８と取付部材Ｂの上壁１５との間に圧縮バネ６９が弾装されている。
頂壁６０下面の案内筒６４の周囲は、外側バネ受け面７０が形成され、取付部材Ｂのフランジ２３上面との間に圧縮バネ７１が弾装されている。
【００２５】
側筒壁６１は、取付部材Ｂの外側案内筒２１外周に嵌挿されるよう配設されており、下端には内方に膨出する係止環７２が設けられ、外側案内筒２１の上端の係止環２２に係合するようになっている。
製品の運搬中におけるノズルヘッドＣ３の妄動を阻止するために、側筒壁６１下端と取付部材Ｂのフランジ２３との間に、着脱可能な馬蹄形のスペーサ７３が挿入されている。
【００２６】
次に、ポンプ装置Ｃの容器本体Ａへの取り付けについて説明する。
取り付けにあたって、まずシリンダー部材Ｃ１とピストン部材Ｃ２を結合し、シリンダー部材Ｃ１のシリンダー３０を内側案内筒１７の外周に沿って嵌挿し、フランジ３３を上壁１５に圧接するよう取付部材Ｂに嵌着する。
次いで、圧縮バネ６９，７１を弾装してノズルヘッドＣ３を取付部材Ｂの内側案内筒１７内周に嵌挿し、ノズルヘッドＣ３のステム保持筒６３をピストン部材Ｃ２のステム４０に嵌着することによって、ポンプ装置Ｃを取付部材Ｂに装着する。
【００２７】
次に、ポンプ装置Ｃを装着した取付部材Ｂを、容器本体Ａの口筒部１に螺合する。
螺合終了近くなると、取付部材Ｂのフランジ２０下面に形成された係止爪２７が、容器肩部２の係止片７を乗り越え、次いで、フランジ２０の突起２５が肩部２のストッパー６に衝接して、取付部材Ｂの廻転が阻止され、取付部材Ｂは、上下方向に位置決めされて螺着されることになる。
【００２８】
次に、図４，６を参照して本注出容器の使用態様と作用効果について説明する。
スペーサ７３を外してノズルヘッドＣ３を押し下げると、図６（ａ）に示すように、ピストン弁４１の弁周壁５０の下端部５３とピストン弁係合部ｐ２との間が離間され、シリンダー３０室内からステム４０の連通孔４３に至る流路が形成され、シリンダー３０室内の内容液がステム４０内に流入し、ステム４０内孔を通ってノズル６２より吐出される。
【００２９】
次いで、ノズルヘッドＣ３から手を離すと、ノズルヘッドＣ３は圧縮バネ６９，７１の付勢により上昇し、ピストン弁係合部ｐ２と弁周壁５０の下端部５３との間隙が封鎖され、流路が閉鎖される。
さらに上昇するとシリンダー３０内が負圧となり、図６（ｂ）に示すように、吸込み弁３２が開かれ、容器本体Ａ内の内容液がシリンダー３０室内に吸い上げられ、ノズルヘッドＣ３は、図４に示す上位置にもどる。
その際、底板４の開口１０から大気が導入され、容器本体Ａ内の摺動板１３が上昇し、容器本体Ａ内の内容液は常圧に維持される。
したがって、ノズルヘッドＣ３を押圧操作することによって、一定量の内容物を注出することができるのである。
【００３０】
ノズルヘッドＣ３を押し下げるときに、図６（ａ）に示すように、ノズルヘッドＣ３の上面の湾曲面に傾斜した押圧力Ｐがかけられ、水平方向の分力によりステム４０にモーメントが掛かっても、ピストン弁係合部ｐ２の周縁に配設されたガイド羽根４８が、シリンダー３０内周に摺接しているので、ピストン部材Ｃ２は、ステム４０と内側案内筒１７、およびガイド羽根４８とシリンダー３０によって支持され、ピストン部材Ｃ２の軸心がシリンダー３０の軸心に常に一致する。  したがって、ピストン部材Ｃ２の押圧操作が重くなったり、ピストン弁４１が片寄ったりしない。
【００３１】
【実施例】
次に、ピストンガイドの変形実施例について説明する。
本実施例は、前記実施形態に説明したポンプ式注出容器において、ピストン部材のピストンガイドの構成のみを変更したものである。
ステム、ピストン弁、その他の構造は何ら変更はないので説明を省略し、ピストンガイドの構成についてのみ図面を参照して説明する。
【００３２】
図７に示すように、ステム４０A に穿孔された連通孔４３A の下方部には、ステム４０A 周面より下方に広がり傾斜する段部８０と、該段部８０に続く周壁８１が形成されており、その上方部は係合面８１ａとなっている。
周壁８１の外周中間部には、係合面８１ａの下端部から外方に拡がる側周壁８２が連設されている。
【００３３】
側周壁８２の上面には、周壁８１外周から所定長さのリブ８３が複数本放射状に立設されており、リブ８３の外端に接して液流路ＸA を形成する通孔８４が所定の間隔を置いて穿設されている。
側周壁８２の周縁部はリング８５となっており、その外周はシリンダー３０A内周に摺接するようになっている。
【００３４】
前記周壁８１と、通孔８４とリング８５を設けた側周壁８２とによってピストンガイドｐ１A が構成されており、周壁８１の係合面８１ａ、リブ８３上面によって、ピストン弁４１A に係合離脱するピストン弁係合部ｐ２A が構成されている。
【００３５】
前記実施形態と同様に、ビストン弁４１A は、ピストン弁係合部ｐ２A に係合保持され、弁周壁５０A の下端部５３A 端面は、側周壁８２上面のリブ８３に衝接し、下端部５３A 内周の膨出部５４A は、前記周壁８１の係合面８１ａに一定の締め代をもって係合する。
ノズルヘッドの操作時には、ピストン弁４１A は、ステム４０A の上下動に応じてシリンダー３０A 内部と連通孔４３A への通路を開閉するようになっている。
その際、ピストン部材Ｃ２は、ピストンガイドｐ１A のリング８５がシリンダー３０A に摺接して移動するので、前記実施形態と同様の作用効果をさらに確実にもたらすことが出来る。
【００３６】
【発明の効果】
本発明は、上記のように構成されているから、次の効果を奏する。
ピストン部材のステム下端部に外周にリング部を設けたピストンガイドを配設しているので、ノズルヘッドの上面の湾曲面に傾斜した押圧力がかけられても、ピストン部材はステムと案内筒およびピストンガイドとシリンダーによって支持されて、ピストン部材の軸心がシリンダーの軸心に常に一致しており、ピストン部材の押圧操作が重くなったり、ピストン弁が片寄ったりしない。
【図面の簡単な説明】
【図１】本発明のポンプ式注出容器の一部断面正面図である。
【図２】容器本体の説明図で、（ａ）は平面図、（ｂ）は容器本体の一部の正面図である。
【図３】取付部材の説明図で、（ａ）は平面図、（ｂ）は断面正面図、（ｃ）は底面図である。
【図４】ポンプ装置の説明図である。
【図５】  ピストンガイドの説明図で、（ａ）は一部断面図、（ｂ）はピストン弁の正面図、（ｃ）は図（ａ）のＡ−Ａ線よりみたピストンガイドの一部断面平面図である。
【図６】ポンプ装置の作動説明図で、（ａ）は液吐出時、（ｂ）は液吸い上げ時の状態を示すものである。
【図７】  ピストンガイドの変形実施例を示す図で、（ａ）は一部断面正面図、（ｂ）は図（ａ）のＡ−Ａ線よりみたピストンガイドの一部断面平面図である。
【符号の説明】
Ａ              容器本体
Ｂ              取付部材
Ｃ              ポンプ装置
Ｃ１            シリンダー部材
Ｃ２            ピストン部材
Ｃ３            ノズルヘッド
ｐ１、ｐ１A     ピストンガイド
ｐ２、ｐ２A     ピストン弁係合部
Ｘ、ＸA         液流路
１              口筒部
２              肩部
３              胴壁
４              底板
１３              摺動板
１７              内側案内筒
３０、３０A       シリンダー
３１              底壁
３２              吸込み弁
４０、４０A       ステム
４１、４１A       ピストン弁
４３、４３A       連通孔
４４              段部
４５              周壁
４５ａ            周壁の係合面
４６              フランジ
４７              案内リング
４８              ガイド羽根
５０、５０A       弁周壁
５３、５３A       下端部
５４、５４A       膨出部
６２              ノズル
６３              ステム保持筒
６４              案内筒
８０              段部
８１              周壁
８１ａ            周壁の係合面
８２              側周壁
８３              リブ
８４              通孔
８５              リング
【図１】
0003776238.tif 000002
【図２】
0003776238.tif 000003
【図３】
0003776238.tif 000004
【図４】
0003776238.tif 000005
【図５】
0003776238.tif 000006
【図６】
0003776238.tif 000007
【図７】
0003776238.tif 000008